(57)【要約】  透明板及び透明電極を利用してそれぞれのＬＥＤを点滅させることによって、電光板の両面から明るい照度の案内メッセージまたは文字メッセージを始め動映像を表示し得る透明電光板を提供するために、第１透明板；前記第１透明板と対向して所定間隔で離隔して形成される第２透明板；多数のＬＥＤ;前記第１透明板の両面中に前記第２透明板に対向する面にコーティングして形成されて、前記各ＬＥＤの電極中のいずれか一つの電極が所定間隔で離隔してすべて接続されて一地点に電源の供給を受けるカソード電源供給部が形成されたカソード面と、前記各ＬＥＤの他の電極がそれぞれ接続されて一地点に電源の供給を受けるアノード電源供給部が形成された多数のアノード面と、に分割された少なくとも一つの閉回路面を形成する透明電極；前記透明電極と前記第２透明板間に充填される透明材質の充填材；前記アノード電源供給部と接続され、前記カソード面及びアノード面の電源供給を制御することで前記ＬＥＤを点滅させるコントローラー；を含んで透明電光板を構成する。【選択図】    図１
2008507001.tif 000002
【特許請求の範囲】
【請求項１】
第１透明板；
前記第１透明板と対向して所定間隔で離隔して形成される第２透明板；
多数のＬＥＤ;
前記第１透明板の両面中に前記第２透明板に対向する面にコーティングして形成されて、前記各ＬＥＤの電極中のいずれか一つの電極が所定間隔で離隔してすべて接続されて一地点に電源の供給を受けるカソード電源供給部が形成されたカソード面と、前記各ＬＥＤの他の電極がそれぞれ接続されて一地点に電源の供給を受けるアノード電源供給部が形成された多数のアノード面と、に分割された少なくとも一つの閉回路面を形成する透明電極；
前記透明電極と前記第２透明板間に充填される透明材質の充填材；
前記アノード電源供給部と接続され、前記カソード面及びアノード面の電源供給を制御することで前記ＬＥＤを点滅させるコントローラー；
を含むことを特徴とする透明電光板。
【請求項２】
前記各ＬＥＤは一つの色を発光する２電極ＬＥＤを含んでおり；
前記透明電極の前記カソード面及び前記アノード面は、前記カソード電源供給部及び前記アノード電源供給部が前記透明電極の一側縁部に形成されるように分割されることを特徴とする請求項１に記載の透明電光板。
【請求項３】
前記各ＬＥＤは一つの色を発光する２電極ＬＥＤを含んでおり；
前記透明電極の前記カソード面及び対応するアノード面は、該当のアノード電源供給部が前記透明電極の相互対向する両側縁部に形成されるように分割されることを特徴とする請求項１に記載の透明電光板。
【請求項４】
前記各ＬＥＤは各電極が電源と接続される状態によって差等の色を発光する４電極ＬＥＤを含んでおり；
前記透明電極の前記カソード面及び対応するアノード面は、該当のアノード電源供給部が前記透明電極の相互対向する両側縁部に形成されるように分割されることを特徴とする請求項１に記載の透明電光板。
【請求項５】
前記各ＬＥＤの各電極と透明電極は、伝導性接着剤により接着されて連結されることを特徴とする請求項１乃至４中のいずれか１に記載の透明電光板。
【請求項６】
前記透明電極の分割された隙間には、電源の両極が短絡されることを防ぐ非伝導性接着剤が充填されたことを特徴とする請求項１乃至４中のいずれか１に記載の透明電光板。
【請求項７】
前記透明電極は、ＩＴＯ(Ｉｎｄｉｕｍ Ｔｉｎ Ｏｘｉｄｅ),ＩＺＯ(Ｉｎｄｉｕｍ Ｚｉｎｃ Ｏｘｉｄｅ)及び液状ポリマー中のいずれか一つであることを特徴とする請求項１乃至４中のいずれか１に記載の透明電光板。
【請求項８】
前記透明電極のカソード電源供給部とアノード電源供給部にはそれぞれ電源供給用伝導性テープが付着されて、前記コントローラーと前記各アノード面は前記電源供給用伝導性テープにより連結されたことを特徴とする請求項１乃至４中のいずれか１に記載の透明電光板。
【発明の詳細な説明】
【技術分野】
【０００１】
本発明は、透明電光板に係わり、より詳しくは、各ＬＥＤをそれぞれ点滅させることによって明るい照度で電光板の両面をすべて使用して動く文字やイメージを表示することができる透明電光板に関する。
【背景技術】
【０００２】
一般に、案内メッセージや広告メッセージを伝達する手段として立て看板や懸垂幕等に文字またはイメージを図案して表示する方法がある。しかし、立て看板や懸垂幕等はあらかじめ製作された限定された内容だけを提供することができて、夜にも内容を見ることができるためには追加的に照明装置を設けなければならない短所がある。
【０００３】
また、自体的な光源（ＬＥＤ等）を利用して多様な色相の文字またはイメージを提供することができて、また動映像も提供することができる電光板を利用した方法がある。しかし、従来の電光板は、後面の電線処理や動映像を具現するためにその厚さが厚い短所がある。特に、ＬＥＤを駆動するための回路基板が多層になっているため、電光板の全体の厚さを厚くする要因として作用する。また、従来の電光板は後面の電線を隠すために背面をカバーで覆うことが一般的であって、そのための構造物により厚さが増して、美観に好ましくない影響を及ぼす短所がある。
【０００４】
このような問題点を解決するためにアクリル板に文字、絵またはマーク等を図案して切り取った後、片面または両面に光源を設置して照らすことによって、電光板の両面から案内メッセージや広告メッセージを表示しえる透明電光板を製作しようとする試しがあった。
【０００５】
ところで、このような方法で製作された透明電光板は、動映像を提供することができず、光源に反射される光によりイメージを表示するためイメージが暗いだけでなく、光源との距離によってアクリル板が受ける光量が異なるのでイメージにしみがつく等、イメージを明確に表示することが困難であった。
【発明の開示】
【発明が解決しようとする課題】
【０００６】
本発明は、上述した従来の問題点に鑑みて行われたもので、透明板及び透明電極を利用してそれぞれのＬＥＤを点滅させることによって、電光板の両面から明るい照度の案内メッセージまたは文字メッセージを始め動映像を表示し得る透明電光板を提供することを目的とする。
【課題を解決するための手段】
【０００７】
前記目的を達成するため本発明に係る透明電光板は、第１透明板；前記第１透明板と対向して所定間隔で離隔して形成される第２透明板；多数のＬＥＤ;前記第１透明板の両面中に前記第２透明板に対向する面にコーティングして形成されて、前記各ＬＥＤの電極中のいずれか一つの電極が所定間隔で離隔してすべて接続されて一地点に電源の供給を受けるカソード電源供給部が形成されたカソード面と、前記各ＬＥＤの他の電極がそれぞれ接続されて一地点に電源の供給を受けるアノード電源供給部が形成された多数のアノード面とに分割された少なくとも一つの閉回路面を形成する透明電極；前記透明電極と前記第２透明板間に充填される透明材質の充填材；前記アノード電源供給部と接続され、前記カソード面及びアノード面の電源供給を制御することで前記ＬＥＤを点滅させるコントローラー；を含むことを特徴とする。
【０００８】
ここで、前記各ＬＥＤは一つの色を発光する２電極ＬＥＤを含んでおり；前記透明電極の前記カソード面及び前記アノード面は、前記カソード電源供給部及び前記アノード電源供給部が前記透明電極の一側縁部に形成されるように分割。
【０００９】
また、前記各ＬＥＤは一つの色を発光する２電極ＬＥＤを含んでおり；前記透明電極の前記カソード面及び対応するアノード面は、該当のアノード電源供給部が前記透明電極の相互対向する両側縁部に形成されるように分割される。
【００１０】
また、前記各ＬＥＤは各電極が電源と接続される状態によって差等の色を発光する４電極ＬＥＤを含んでおり；前記透明電極の前記カソード面及び対応するアノード面は、該当のアノード電源供給部が前記透明電極の相互対向する両側縁部に形成されるように分割される。
【００１１】
ここで、前記各ＬＥＤの各電極と透明電極は、伝導性接着剤により接着されて連結される。
【００１２】
また、前記透明電極の分割された隙間には、電源の両極が短絡されることを防ぐ非伝導性接着剤が充填される。
【００１３】
前記透明電極は、ＩＴＯ(Ｉｎｄｉｕｍ Ｔｉｎ Ｏｘｉｄｅ),ＩＺＯ(Ｉｎｄｉｕｍ Ｚｉｎｃ Ｏｘｉｄｅ)及び液状ポリマー中のいずれか一つである。
【００１４】
前記透明電極のカソード電源供給部とアノード電源供給部にはそれぞれ電源供給用伝導性テープが付着されて、前記コントローラーと前記各アノード面は前記電源供給用伝導性テープにより連結される。
【発明の効果】
【００１５】
本発明によれば次の効果が提供される。
【００１６】
第１に、ＬＥＤを駆動するための多層の回路基板や後面の電線処理が不必要であるので、透明でその厚さが薄い電光板を提供することができる。
【００１７】
第２に、多数のＬＥＤをそれぞれ制御するため、多様な形状の文字またはイメージを表示することが可能で動映像も単色またはカラーで表示することができる。
【００１８】
第３に、透明板及び透明電極を使用して電光板の両面を利用して内容を伝達することができるので広報範囲が広がって、電光板を駆動しない時には透明ガラスと認識されるので人の好奇心をそそって、美的な要素を強調することができる。
【発明を実施するための最良の形態】
【００１９】
以下、添付図面を参照して本発明をさらに詳細に説明する。
【００２０】
図１は、本発明の実施例に係る透明電光板を示した断面図、図２は、本発明の実施例に係る透明電光板の各構成要素の結合関係を示すための図１のII−II線断面図である。
【００２１】
図１及び図２に示すように、本発明に係る透明電光板は、第１透明板１１０、第２透明板１２０、ＬＥＤ(ｌｉｇｈｔ ｅｍｉｔｔｉｎｇ ｄｉｏｄｅ)１３１，１３２，透明電極１４０，充填剤１４１及びコントローラー１５０を含む。
【００２２】
第１透明板１１０は、電光板の全体的な形状を決定する基礎になる。
【００２３】
第２透明板１２０は、前記第１透明板１１０と対向して所定間隔で離隔して形成されて、該第１透明板１１０と同一のサイズに製作される。それら第１透明板１１０と第２透明板１２０の間にはＬＥＤ１３１，１３２，透明電極１４０及び充填剤１４１等が位置する。前記第１透明板１１０及び第２透明板１２０は、透明材質のガラス板、アクリル及びＰＣ(ｐｏｌｙ ｃａｒｂｏｎａｔｅ)中いずれか一つで製作することができる。ここで、強さの低いガラス板を使用するとスクラッチ等によって透明度が低下したりガラス板が割れることが発生され、一方、強さの極めて大きいガラス板を使用するとガラス板のたわみ現象を招いたり透明電極１４０の抵抗性を増加させるので、電光板の設置目的や位置等を鑑みて適切な強度のガラス板を使用する。
【００２４】
前記ＬＥＤ１３１，１３２は、電源を供給すると点滅する発光体で、多数を備わることで多様な形状の文字またはイメージを表示することができる。
【００２５】
前記透明電極１４０は、前記第１透明板１１０の両面中前記第２透明板１２０の対向面にコーティングして形成される。また、前記透明電極１４０は、カソード面１４０ｃと多数のアノード面１４０ａ、１４０ｂとに分割された閉回路面１４０ａ、１４０ｂ、１４０ｃを形成する。ここで、前記カソード面１４０ｃは、所定間隔に離隔されているＬＥＤ１３１，１３２の電極中カソード電極１３５が全て連結される。前記カソード面１４０ｃのいずれか１つの地点には電源の供給を受けるカソード電源供給部が形成される。一方、前記多数のアノード面１４０ａ、１４０ｂは前記各ＬＥＤ１３１，１３２のアノード電極１３６がそれぞれ連結される。前記各アノード面１４０ａ、１４０ｂのいずれか１つの地点には電源の供給を受けるアノード電源供給部がそれぞれ形成される。前記透明電極１４０がカソード面１４０ｃとアノード面１４０ａ，１４０ｂに分割される時には多様な形態に分割され、従って、前記各ＬＥＤ１３１，１３２の間の間隔を狭くして配置することも可能で、またコントローラー１５０をＬＥＤと容易に接続することができる。図1は、その一実施例を示した断面図である。
【００２６】
前記透明電極１４０としては、ＩＴＯ(Ｉｎｄｉｕｍ Ｔｉｎ Ｏｘｉｄｅ),ＩＺＯ(Ｉｎｄｉｕｍ Ｚｉｎｃ Ｏｘｉｄｅ)及び液状ポリマー（伝導性高分子化合物）中のいずれか一つを使用することができて、透明性が高く面積抵抗性の低い材質を使用することが好ましい。
【００２７】
一方、前記カソード電源供給部及びアノード電源供給部にはそれぞれ電源供給用伝導性テープ１４３を付着することができる。該電源供給用伝導性テープ１４３としては、銅テープ、アルミニウムテープ及びシルバーペースト等を使用することができる。
【００２８】
また、前記ＬＥＤ１３１，１３２の各電極１３５，１３６と透明電極１４０は、伝導性接着剤１３７で接着して連結することができる。該伝導性接着剤１３７としては、シルバーコンダクター（Ｓｉｌｖｅｒ
Ｃｏｎｄｕｃｔｏｒ）またはシルバーペースト等が使用される。ここで、前記伝導性接着剤１３７は、接着力が大きく面積抵抗性が最大限低い材質を使用することが好ましい。また、前記充填剤１４１を充填するとき、前記伝導性接着剤１３７が前記充填剤１４１と反応及び溶解して前記透明電極１４０に接着されたＬＥＤ１３１，１３２の電極が離脱してそれらＬＥＤ１３１，１３２が離脱することもありえるので、硬化後、ソルベント系列の溶剤と反応及び溶解されない伝導性接着剤を使用することが好ましい。
【００２９】
また、前記透明電極１４０の分割された隙間には、電源の両極（ｐｏｓｉｔｉｖｅ  ａｎｄ  ｎｅｇａｔｉｖｅ  ｅｌｅｃｔｒｏｄｅｓ）が短絡することを防ぐ非伝導性接着剤１４２が充填される。
【００３０】
ここで、前記充填剤１４１は、前記透明電極１４０と第２透明板１２０間に充填されて前記ＬＥＤ１３１，１３２を保護し、また、前記第１透明板１１０と第２透明板１２０が相互離脱しないように防止する一種の接着剤である。そのため、前記充填剤１４１としては、前記ＬＥＤ１３１，１３２が発する光を透過し得る透明材質、例えば、透明シリコンなどが使用される。
【００３１】
前記コントローラー１５０は、アノード電源供給部と連結され前記カソード面１４０ｃ及びアノード面１４０ａ，１４０ｂの電源供給を制御して前記ＬＥＤ１３１，１３２を点滅させる。この時、前記コントローラー１５０と各アノード面１４０ａ，１４０ｂを電源供給用伝導性テープ１４３で接続することができる。
【００３２】
一方、ＬＥＤは種類が多様で、用途に応じて選択して使用することが可能で、図３及び図４は、一つの色を発光する２電極ＬＥＤが適用された透明電光板の第１実施例及び第２実施例を示した図面で、図５は、各電極が電源と連結される状態によって異なる色を発光する４電極ＬＥＤが適用された透明電光板の第３実施例を示した図面である。以下ではＬＥＤの種類や透明電極の分割されたパターンによる各実施例を図３乃至図５を参照して説明する。また、ＬＥＤの種類や透明電極の分割されたパターンを除いた他の構成はすべて上述の通りであり、重なる説明は省略する。
＜第１実施例＞
【００３３】
図３に示したように、本発明の第１実施例に係る透明電光板においては、各ＬＥＤは一つの色を発光する２電極ＬＥＤ３３１，３３２，３３３，３３４を含んで、透明電極３４０のカソード面３４０ｅ及びアノード面３４０ａ，３４０ｂ，３４０ｃ，３４０ｄは、カソード電源供給部及びアノード電源供給部が前記透明電極３４０の一側縁部に形成できるように分割することができる。即ち、図面上の左側に前記カソード面３４０ｅが形成され、その右側に前記アノード面３４０ａ，３４０ｂ，３４０ｃ，３４０ｄがそれぞれ形成されるが、このとき、カソード電源供給部及びアノード電源供給部が図面上で前記透明電極３４０の上部側にすべて形成されるように前記透明電極３４０を分割することができる。また、前記カソード電源供給部及びアノード電源供給部には電源供給用伝導性テープ３４３がそれぞれ付着されて電源の供給を受けることができる。図３に示した第１実施例に係る透明電光板においては、四つのＬＥＤ（第１ＬＥＤ３３１，第２ＬＥＤ３３２，第３ＬＥＤ３３３，第４ＬＥＤ３３４）の一つの電極が連結されるカソード面３４０ｅと、四つのＬＥＤ３３１，３３２，３３３，３３４の他の電極がそれぞれ連結されるアノード面３４０ａ，３４０ｂ，３４０ｃ，３４０ｄとに分割された閉回路面３４０ａ，３４０ｂ，３４０ｃ，３４０ｄ、３４０ｅが四つ形成された透明電極３４０が示されている。
【００３４】
この時、コントローラー３５０の制御によって前記電源供給用伝導性テープ３４３を介して前記第１アノード面３４０ａにだけ電源が供給されると、前記第１ＬＥＤ３３１にだけ電源が供給されるので該第１ＬＥＤ３３１が発光する。また、前記コントローラー３５０の制御によって前記電源供給用伝導性テープ３４３を介して前記第1アノード面３４０ａ及び第２アノード面３４０ｂに順次電源が供給されると、前記第１ＬＥＤ３３１及び第２ＬＥＤ３３２が順次発光する。したがって、多数のＬＥＤが備わった第1実施例に係る透明電光板は、前記コントローラー３５０によって各ＬＥＤがそれぞれ発光することができるように制御されるので、所望の文字またはイメージ等を表示することができて、動映像も提供することができる。
【００３５】
また、第１実施例に係る透明電光板は、カソード電源供給部及びアノード電源供給部がすべて前記透明電極３４０のいずれか一方側に形成されて電源の供給を受けることができるので、前記コントローラー３５０との連結が容易で、前記透明電極３４０の他方側を中心に上述した閉回路面３４０ａ，３４０ｂ，３４０ｃ，３４０ｄ、３４０ｅと対称で他の閉回路面を形成させることができる。
【００３６】
一方、各ＬＥＤは動映像を提供するべきであるため、互いに所定間隔を有して碁盤の形状で配置することができる。
＜第２実施例＞
【００３７】
図４に示したように、本発明の第２実施例に係る透明電光板においては、各ＬＥＤは一つの色を発光する２電極ＬＥＤ４３１，４３２，４３３，４３４を含んで、透明電極４４０のカソード面４４０ｅ及び対応するアノード面４４０ａ，４４０ｂ，４４０ｃ，４４０ｄは、該当のアノード電源供給部が前記透明電極４４０の相互対向する両方側の縁部に形成できるように分割されることができる。即ち、図面上の左側にカソード面４４０ｅが形成され、右側にアノード面４４０ａ，４４０ｂ，４４０ｃ，４４０ｄが形成されて、ここで、アノード電源供給部は前記透明電極４４０の両側（図面上の上側及び下側）中の前記アノード面４４０ａ，４４０ｂ，４４０ｃ，４４０ｄに連結された各２電極ＬＥＤ４３１，４３２，４３３，４３４と相対的に近い側に形成されることができる。また、カソード電源供給部及びアノード電源供給部には電源供給用伝導性テープ４４３がそれぞれ付着されて電源の供給を受けることができる。図４に示した第２実施例に係る透明電光板は、四つのＬＥＤ、（第１ＬＥＤ４３１，第２ＬＥＤ４３２，第３ＬＥＤ４３３，第４ＬＥＤ４３４）の一つの電極が連結されるカソード面４４０ｅと、四つのＬＥＤ４３１，４３２，４３３，４３４の他の電極がそれぞれ連結されるアノード面４４０ａ，４４０ｂ，４４０ｃ，４４０ｄとに分割された閉回路面４４０ａ，４４０ｂ，４４０ｃ，４４０ｄ，４４０ｅが四つ形成された透明電極４４０を示している。
【００３８】
この時、コントローラー４５０の制御によって前記電源供給用伝導性テープ４４３を介して前記第１アノード面４４０ａにだけ電源が供給されると、前記第１ＬＥＤ４３１にだけ電源が供給されるので該第１ＬＥＤ４３１が発光する。また、前記コントローラー４５０の制御によって前記電源供給用伝導性テープ４４３を介して前記第１アノード面４４０ａ及び第２アノード面４４０ｂに順次電源が供給されると、前記第１ＬＥＤ４３１及び第２ＬＥＤ４３２が順次発光する。したがって、多数のＬＥＤが備わった第２実施例に係る透明電光板は、前記コントローラー４５０によって各ＬＥＤがそれぞれ発光するように制御されることによって、所望の文字またはイメージ等を表示することができて、動映像も提供することができる。
【００３９】
また、第２実施例に係る透明電光板は、カソード電源供給部及びアノード電源供給部が前記透明電極４４０のいずれか一方側に偏らず両方側に分離して形成されるので、一つの閉回路面４４０ａ，４４０ｂ，４４０ｃ，４４０ｄ，４４０ｅの幅を減らすことができて、これによって各ＬＥＤ間の間隔も減らすことができる。
【００４０】
一方、各ＬＥＤは動映像を提供するべきであるため、互いに所定間隔を有して碁盤の形状で配置することができる。
＜第３実施例＞
【００４１】
図５に示したように、本発明の第３実施例に係る透明電光板においては、各ＬＥＤは各電極が電源と接続される状態によって異なる色を発光する４電極ＬＥＤ５３１，５３２，５３３，５３４を含んで、透明電極５４０のカソード面５４０ｍ及び対応するアノード面５４０ａ，５４０ｂ，５４０ｃ，５４０ｄ，５４０ｅ，５４０ｆ，５４０ｇ，５４０ｈ，５４０ｉ，５４０ｊ，５４０ｋ，５４０ｌは、該当のアノード電源供給部が前記透明電極５４０の相互対向する両方側の縁部に形成れるように分割することができる。即ち、図面上の左側に前記カソード面５４０ｍが形成されて、右側に前記アノード面５４０ａ，５４０ｂ，５４０ｃ，５４０ｄ，５４０ｅ，５４０ｆ，５４０ｇ，５４０ｈ，５４０ｉ，５４０ｊ，５４０ｋ，５４０ｌがそれぞれ形成され、ここで、アノード電源供給部は、前記透明電極５４０の両方側（図面上の上側及び下側）中のアノード面５４０ａ，５４０ｂ，５４０ｃ，５４０ｄ，５４０ｅ，５４０ｆ，５４０ｇ，５４０ｈ，５４０ｉ，５４０ｊ，５４０ｋ，５４０ｌに連結された各４電極ＬＥＤ５３１，５３２，５３３，５３４と相対的に近い側に形成されることができる。また、カソード電源供給部及びアノード電源供給部には電源供給用伝導性テープ５４３がそれぞれ付着されて電源の供給を受けることができる。図５に示した第３実施例に係る透明電光板は、四つのＬＥＤ（第１ＬＥＤ５３１,第２ＬＥＤ５３２,第３ＬＥＤ５３３,第４ＬＥＤ５３４）の一つの電極が連結されるカソード面５４０ｍと、前記四つのＬＥＤ５３１，５３２，５３３，５３４の他の電極がそれぞれ連結されるアノード面５４０ａ，５４０ｂ，５４０ｃ，５４０ｄ，５４０ｅ，５４０ｆ，５４０ｇ，５４０ｈ，５４０ｉ，５４０ｊ，５４０ｋ，５４０ｌとに分割された閉回路面５４０ａ，５４０ｂ，５４０ｃ，５４０ｄ，５４０ｅ，５４０ｆ，５４０ｇ，５４０ｈ，５４０ｉ，５４０ｊ，５４０ｋ，５４０ｌ、５４０ｍが四つ形成された透明電極５４０を示している。
【００４２】
このとき、コントローラー５５０の制御によって前記電源供給用伝導性テープ５４３を介して前記第１アノード面５４０ａにだけ電源が供給されると、該第１アノード面５４０ａに連結された前記第１ＬＥＤ５３１の電極に電力が供給されて該第１ＬＥＤ５３１が発光する（たとえば、‘赤’）。また、前記第１アノード面５４０ａに電源が供給される状態で、前記コントローラー５５０の制御によって前記電源供給用伝導性テープ５４３を介して前記第２アノード面５４０ｂに電源が供給されると、前記第１アノード面５４０ａ及び第２アノード面５４０ｂに連結された前記第１ＬＥＤ５３１の電極に電力が供給されて該第１ＬＥＤ５３１が発光する（たとえば、‘赤’と‘緑’の調合で発光する色）。したがって、多数のＬＥＤが備わった第3実施例に係る透明電光板は、前記コントローラー５５０によって各ＬＥＤがそれぞれ多様な色で発光するように制御されることによって、所望の文字またはイメージ等をカラーで表示することができて、動映像も提供することができる。
【００４３】
また、第３実施例に係る透明電光板は、カソード電源供給部及びアノード電源供給部が透明電極５４０のいずれか一側に偏らず両方側に分離して形成されるので、一つの閉回路面の幅を減らすことができて、これによって各ＬＥＤ間の間隔も減らすことができる。
【００４４】
一方、各ＬＥＤは動映像を提供するべきであるため、互いに所定間隔を有して碁盤の形状で配置することができる。
【００４５】
以上、本発明に関する具体的な説明を添付の図面を参照した実施例に基づいて説明したが、上述の実施例は本発明の好ましい例を挙げて説明しただけであるため、本発明が上述した実施例に限られるものと理解されては困難で、本発明の権利の範囲は後述する請求の範囲及びその等価概念として理解されるべきである。
【図面の簡単な説明】
【００４６】
【図１】発明の実施例に係る透明電光板を示した断面図である。
【図２】発明の実施例に係る透明電光板の各構成要素の結合関係を示すための図１のII−II線断面図である。
【図３】発明の第１実施例に係る透明電光板を示した断面図である。
【図４】発明の第２実施例に係る透明電光板を示した断面図である。
【図５】発明の第３実施例に係る透明電光板を示した断面図である。
【符号の説明】
【００４７】
１１０    第１透明板
１２０    第２透明板
１３１，１３２    ＬＥＤ
１３７    伝導性接着剤
１４０    透明電極
１４０ａ，１４０ｂ    アノード面
１４０ｃ    カソード面
１４１    充填剤
１４２    非伝導性接着剤
１５０    コントローラー
３３１，３３２，３３３，３３４    ２電極ＬＥＤ
３４０    透明電極
３４０ａ〜３４０ｄ    アノード面
３４０ｅ    カソード面
３５０    コントローラー
４３１，４３２，４３３，４３４    ２電極ＬＥＤ
４４０    透明電極
４４０ａ〜４４０ｄ    アノード面
４４０ｅ    カソード面
４５０    コントローラー
５３１，５３２，５３３，５３４    ４電極ＬＥＤ
５４０    透明電極
５４０ａ〜５４０ｌ    アノード面
５４０ｍ    カソード面
５５０    コントローラー
【図１】
2008507001.tif 000003
【図２】
2008507001.tif 000004
【図３】
2008507001.tif 000005
【図４】
2008507001.tif 000006
【図５】
2008507001.tif 000007
【国際調査報告】
2008507001.tif 000008
2008507001.tif 000009